(57)【要約】【課題】  電気掃除機の吸引風路や床用吸込具、アタッチメントなどに抗アレルゲン剤を付加し、被掃除面に付着したダニの死骸や糞あるいは花粉のアレルゲンを不活化して塵埃と共に吸引することにより、アレルゲンを無害化するようにした電気掃除機、床用吸込具、アタッチメント及びこの床用吸込具、アタッチメントを備えた電気掃除機を提供する。【解決手段】  内部に電動送風機２及び集塵室３が設けられた電気掃除機本体１と、この電気掃除機本体１に接続されるホースユニット５と、ホースユニット５に接続される延長管９と、電気掃除機本体１、ホースユニット５又は延長管９に接続される床用吸込具１０とを有し、床用吸込具１０から集塵室３に至る吸引風路の全部又は一部に、アレルゲンを不活化する物質を付加し、又はこの物質を付加した部材を設けた。【選択図】        図１
2006204350.tif 000002
【特許請求の範囲】
【請求項１】
内部に電動送風機及び集塵室が設けられた電気掃除機本体と、該電気掃除機本体に接続されるホースユニットと、該ホースユニットに接続される延長管と、前記電気掃除機本体、ホースユニット又は延長管に接続される床用吸込具とを有し、
該床用吸込具から前記集塵室に至る吸引風路の全部又は一部に、アレルゲンを不活化する物質を付加し、又は該物質を付加した部材を設けたことを特徴とする電気掃除機。
【請求項２】
前記アレルゲンを不活化する物質を、該アレルゲンを包み込み、分解し結合し又は不溶化する抗アレルゲン剤で構成したことを特徴とする請求項１記載の電気掃除機。
【請求項３】
内部に電動送風機及び集塵室が設けられた電気掃除機本体と、該電気掃除機本体に接続されるホースユニットと、該ホースユニットに接続される延長管と、前記電気掃除機本体、ホースユニット又は延長管に接続される床用吸込具とを有し、
前記電動送風機の上流側及び下流側又はいずれか一方に抗アレルゲン剤を付加したフィルタを設けると共に、前記床用吸込具の植毛又は起毛布に抗アレルゲン剤を付加したことを特徴とする電気掃除機。
【請求項４】
前記集塵室の上流側に吸湿性部材を設け、塵埃を吸引する際に該吸湿性部材の水分を抗アレルゲン剤を付加した部材に移行させるようにしたことを特徴とする請求項１〜３のいずれかに記載の電気掃除機。
【請求項５】
内部に電動送風機及び集塵室が設けられた電気掃除機本体と、該電気掃除機本体に接続されるホースユニットと、該ホースユニットに接続される延長管と、前記電気掃除機本体、ホースユニット又は延長管に接続される床用吸込具とを有し、
被掃除面に接する部分に抗アレルゲン剤を付加したことを特徴とする電気掃除機。
【請求項６】
本体ケース内に電動送風機、集塵室、回転ロータ等が設けられた掃除機本体と、該掃除機本体にパイプを介して設けられたハンドルとからなり、前記掃除機本体の被掃除面と接触する部分に抗アレルゲン剤を付加したことを特徴とする電気掃除機。
【請求項７】
前記抗アレルゲン剤に、即効の抗アレルゲン剤を用いたことを特徴とする請求項１〜６のいずれかに記載の電気掃除機。
【請求項８】
電気掃除機本体、ホースユニット又は延長管に接続される床用吸込具の被掃除面と接触する部分に、抗アレルゲン剤を付加したことを特徴とする床用吸込具。
【請求項９】
電気掃除機本体、ホースユニット又は延長管に接続される床用吸込具に設けた植毛、起毛布等に、抗アレルゲン剤を付加したことを特徴とする床用吸込具。
【請求項１０】
回転ロータを有し、電気掃除機本体、ホースユニット又は延長管に接続される床用吸込具の前記回転ロータの近傍に、該回転ロータの植毛が接触する抗アレルゲン付加部材又は吸湿性部材若しくは保湿性部材を設けたことを特徴とする床用吸込具。
【請求項１１】
回転ロータを有し、電気掃除機本体、ホースユニット又は延長管に接続される床用吸込具の前記回転ロータに複数対の植毛を設け、各対の一方の植毛に抗アレルゲン剤を付加し、他方の植毛に吸湿性部材又は保湿性部材を付加したことを特徴とする床用吸込具。
【請求項１２】
前記床用吸込具に設けた植毛、起毛布等、該床用吸込具に設けた回転ロータの植毛の素材に、吸湿性を有する材料を用いたことを特徴とする請求項９〜１１のいずれかに記載の床用吸込具。
【請求項１３】
前記床用吸込具に設けた植毛、起毛布等、該床用吸込具に設けた回転ロータの植毛に、素材の色と異なる色に着色された表面処理材に抗アレルゲン剤を混入して付加したことを特徴とする請求項９〜１２のいずれかに記載の床用吸込具。
【請求項１４】
前記抗アレルゲン剤に、即効の抗アレルゲン剤を用いたことを特徴とする請求項９〜１３のいずれかに記載の床用吸込具。
【請求項１５】
回転ロータを有し、電気掃除機本体、ホースユニット又は延長管に接続される床用吸込具の前記回転ロータに植毛又はブレードを設け、該植毛又はブレードに抗アレルゲン剤を付加したことを特徴とする床用吸込具用回転ロータ。
【請求項１６】
電気掃除機本体、ホースユニット又は延長管に接続されるアタッチメントに設けた植毛又は起毛布に、抗アレルゲン剤を付加したことを特徴とするアタッチメント。
【請求項１７】
前記植毛又は起毛布の素材に吸湿性を有する材料を用いたことを特徴とする請求項１５記載のアタッチメント。
【請求項１８】
前記植毛又は起毛布に、素材の色と異なる色に着色された表面処理材に抗アレルゲン剤を混入して付加したことを特徴とする請求項１５又は１６記載のアタッチメント。
【請求項１９】
前記抗アレルゲン剤に、即効の抗アレルゲン剤を用いたことを特徴とする請求項１５〜１７のいずれかに記載のアタッチメント。
【請求項２０】
請求項９〜１９のいずれかに記載の植毛を、単繊維の集合体を結束して形成したことを特徴とする床用吸込具又はアタッチメント。
【請求項２１】
請求項９〜２０のいずれかに記載の植毛を構成する単繊維を波形に形成したことを特徴とする床用吸込具又はアタッチメント。
【請求項２２】
請求項９〜２１に記載の植毛を、単繊維を絡み合い撚り合わせて形成したことを特徴とする床用吸込具又はアタッチメント。
【請求項２３】
請求項９〜２２のいずれかに記載の植毛を、単繊維の先端部を枝状に分岐して形成したことを特徴とする床用吸込具又はアタッチメント。
【請求項２４】
請求項９〜２３のいずれかに記載の植毛を構成する単繊維の長手方向に凹溝を設け、又は単繊維の断面形状を放射状に形成したことを特徴とする床用吸込具又はアタッチメント。
【請求項２５】
請求項９〜２４のいずれかに記載の植毛を構成する単繊維の表面に、複数の不連続の凹部を設けたことを特徴とする床用吸込具又はアタッチメント。
【請求項２６】
請求項９〜２５のいずれかに記載の床用吸込具、床吸込具用回転ロータ、アタッチメント又はそのいずれかを備えたことを特徴とする電気掃除機。
【発明の詳細な説明】
【技術分野】
【０００１】
本発明は電気掃除機、電気掃除機用床用吸込具、床吸込具用、回転ロータ、アタッチメント、及びこの床用吸込具、床吸込具用回転ロータ、アタッチメントを備えた電気掃除機に係り、より詳しくは、人体に有害なアレルゲンの不活化手段を備えた電気掃除機等に関するものである。
【背景技術】
【０００２】
従来から、ダニ等の人体に有害な微生物は電気掃除機の吸引時に蛇腹ホース内を塵埃と共に高速で通過し、蛇腹ホースの凹凸に激突する際の衝撃で死滅することが知られている。
しかし、生き残ったダニ等が集塵室内に存在することもあるので、集塵室に蓄積された塵埃に含まれるダニを、電動送風機からの排熱を集塵室へ戻して殺傷する電気掃除機が提案されている（例えば、特許文献１参照）。
また、集塵袋を使用せず、直接集塵室にダニの死骸や糞等を含む塵埃を捕集するサイクロン方式の電気掃除機も提案されている（例えば、特許文献２参照）。
【０００３】
しかしながら、従来の電気掃除機では、ダニ等の有害な微生物を殺傷することはできるが、ダニの死骸や塵埃に含まれるダニの糞は、集塵袋や集塵室に捕集されるのみであり、また、前記のように、蛇腹ホース内の凹凸に激突する際の衝撃が強いほど、乾燥して砕け易くなったダニの死骸が細かく粉砕される可能性が高まり、集塵室内に設けられたフィルターの小さい通気穴からダニの死骸等が漏れるおそれもある。
【０００４】
このようなことから、集塵袋や集塵室に蓄積された塵埃を廃棄する際、あるいは掃除中に排気から細かい粉塵が空気中に舞い上り、その汚染された空気を吸込んでくしゃみの症状が出ることがある。これは、合同出版社発行の「ダニが主な原因、アトピー性皮膚炎の治し方」で紹介されているように、ダニの死骸や糞に含まれるアレルゲンが原因となってアレルギー性鼻炎を引き起こすからである。さらに、喘息やアトピー性皮膚炎等の病気の原因にもなるとされている。また、このアレルゲンは、花粉にも含まれており、花粉症の発病にも関係している。
【０００５】
このようなアレルゲンに対する対策として、アレルゲン不活化剤と吸引性組成物を含有する抗アレルゲン組成物、及びそれを加工した抗アレルゲンフィルター材又はシートのような抗アレルゲン対策品を、電気掃除機のフィルターとして電動送風機の上流側、下流側に装着するようにした発明が提案されている（例えば、特許文献３参照）。
【０００６】
【特許文献１】特開昭６２−１２７０２６号公報
【特許文献２】特開２００１−１０４２２３号公報
【特許文献３】特開２００２−３２６９４４号公報
【発明の開示】
【発明が解決しようとする課題】
【０００７】
特許文献１，２の技術は、ダニ等の有害な微生物を殺傷することはできるが、ダニの死骸や糞は集塵室に捕集するだけで、アレルゲンについてはなんらの対策もなされていない。
また、特許文献３の技術は、前述のように衝撃で粉砕されたダニの死骸はフィルターを通過するおそれがあるため、排気と一緒に室内の空気中に放出される可能性があり、アレルゲンの不活化対策としては不十分である。また、サイクロン方式などの直接塵埃を廃棄する電気掃除機の、塵埃を廃棄する際の微塵に含まれるアレルゲンの不活化防止対策が講じられていないため、空気中にアレルゲンを飛散させるおそれがある。
【０００８】
本発明は、上記の課題を解決するためになされたもので、電気掃除機の吸引風路や床用吸込具、床吸込具用回転ロータ、アタッチメントなどに抗アレルゲン剤を付加し、被掃除面に付着したダニの死骸や糞あるいは花粉のアレルゲンを不活化して塵埃と共に吸引することにより、アレルゲンを無害化するようにした電気掃除機、電気掃除機用床用吸込具、床吸込具用回転ロータ、アタッチメント、及びこの床用吸込具、床吸込具用回転ロータ、アタッチメントを備えた電気掃除機を提供することを目的としたものである。
【課題を解決するための手段】
【０００９】
本発明に係る電気掃除機は、内部に電動送風機及び集塵室が設けられた電気掃除機本体と、該電気掃除機本体に接続されるホースユニットと、該ホースユニットに接続される延長管と、前記電気掃除機本体、ホースユニット又は延長管に接続される床用吸込具とを有し、該床用吸込具から前記集塵室に至る吸引風路の全部又は一部に、アレルゲンを不活化する物質を付加し、又は該物質を付加した部材を設けたものである。
【００１０】
また、本発明に係る床用吸込具、アタッチメントは、被掃除面に接触する部分に抗アレルゲン剤を付加したものである。
さらに、本発明に係る電気掃除機は、上記の床用吸込具、床吸込具用回転ロータ、アタッチメント又はそのいずれかを備えたものである。
【発明の効果】
【００１１】
本発明は、電気掃除機の吸引風路や床用吸込具、床吸込具用回転ロータ、アタッチメントなどに抗アレルゲン剤を付加し、掃除の際に床や絨毯などの被掃除面に付着したダニの死骸や糞あるいは花粉などに抗アレルゲン剤を接触させて不活化し、塵埃と共に集塵室に吸引するようにしたので、被掃除面で生活し、また、塵埃を廃棄する際に飛散してもアレルギー感染することがない。
【発明を実施するための最良の形態】
【００１２】
［実施の形態１］
図１は本発明の実施の形態１に係る電気掃除機の説明図である。
図１において、電気掃除機本体１には、空気を塵埃と共に吸上げる動力としての電動送風機２が内蔵され、電動送風機２の上流側には集塵室３が設けられている。なお、集塵室３は電気掃除機本体１の外部に設けてもよい。また、電気掃除機本体１には、延長目的でホースユニット５が設けられており、このホースユニット５を構成する蛇腹ホース６の一端には電気掃除機本体１に着脱可能に連結される接続部７が設けられており、他端に手元ハンドル８が設けられている。そして、手元ハンドル８には延長管９が着脱可能に連結され、さらに延長管９の上流側には床用吸込具１０が着脱可能に連結されて、床用吸込具１０から電動送風機２の集塵室３までの間に負圧の吸引風路が形成され、集塵室３の下流側から排気口（図示せず）の間には排気風路が形成されている。
【００１３】
本実施の形態は、上述の負圧の吸引風路、すなわち床用吸込具１０から集塵室３までの区間に、アレルゲンを不活化又は抑制（以下不活化という）する物質である抗アレルゲン剤を直接付加し、又は抗アレルゲン剤を付加した部品を抗アレルゲン剤が吸引風路に露出するように配置したものである。
ここで、抗アレルゲン剤を付加するとは、電気掃除機を構成する部材や部品の表面をコーティングする目的で抗アレルゲン剤を塗布したり、部材や部品を構成する原材料に抗アレルゲン剤を混入することをいう。なお、抗アレルゲン剤の混入比率は、必要に応じて適宜選択する。
【００１４】
この場合、それぞれのメリットは、前者の表面コーティングは少ない量の抗アレルゲン剤でも、表面全体に抗アレルゲン剤が付着するので、アレルゲンに接触する確率が高くなり、アレルゲンの不活化効果が大きい。また、後者の原材料への混入は、表面コーティングに比べて抗アレルゲン剤の使用量が多くなるが、部材内部にも抗アレルゲン剤が含まれるので、部材が摩耗してもアレルゲンの不活化効果を持続することができる。
【００１５】
抗アレルゲン剤は特に指定しないが、水溶液を必要としないものが好ましく、例えば、タンニン酸、ガロタンニン、エピカテキンガレード、エピカテキン、エピガロカテキン、エピガロカテキンガレード等のポリフェノール類、２，５−ジヒドロキシ安息香酸、２，６−ジヒドロキシ安息香酸、２，４，６−トリヒドロキシ安息香酸等のヒドロキシ安息香酸系化合物又はその塩等、さらには、茶抽出物、柿渋、没食子酸等が挙げられる。
【００１６】
上記のように構成した本実施の形態によれば、電気掃除機の運転によって、床用吸込具１０から吸引風路に吸引された塵埃中に、例えばダニの死骸や糞、花粉等に含まれるアレルゲンが存在していても、吸引風路中に設けた抗アレルゲン剤に接触することにより、アレルゲンが大小様々な無害のタンパク質に変化したり、あるいはアレルゲンを包み込んだりして不活化する。これにより、アレルゲンが直接人体に触れることがなく、また、水溶性のアレルゲンを不溶化して、鼻の濡れた粘膜等で溶けたりしないようになり、さらに、集塵室３に蓄積された塵埃中のアレルゲン量を減少させることができる。
【００１７】
また、サイクロン式電気掃除機のように、直接塵埃を捨てる集塵方式の場合には、塵埃を廃棄する際に空気中に散布されるアレルゲンの量が減るため、鼻等から吸込んでもくしゃみが出にくくなり、アレルギーに感染するおそれも減少する。さらに、乾燥し砕かれて細かくなったダニの死骸等のアレルゲンが、万一電気掃除機本体１のフィルターを通過し、空気に混ざって部屋に排出されたとしても、アレルゲンが不活化状態であれば人体にとって無害であり、アレルギー感染を防止することができる。
【００１８】
［実施の形態２］
図２は本発明の実施の形態２に係る床用吸込具の断面説明図である。
本実施の形態に係る床用吸込具１０は、下部に塵埃の吸込口１２を有し延長管９（又は手元ハンドル８等）に接続される連結管１３が設けられた下ケース１１と、この下ケース１１の上部を覆うように装着された上ケース１４と、外周に植毛やブレードあるいは起毛布１６等（以下、植毛等という）が設けられ下ケース１１内に回転自在に収容された回転ロータ１５と、下ケース１１から外方に突出した緩衝部材１７と、下ケース１１の底面に固定された植毛若しくは起毛布又はヘラ１８（以下、植毛、ヘラ等という）と、下ケース１１の底面に装着された車輪１９とにより構成されており、絨毯４０等を掃除する際に絨毯４０等に接触する部分に、実施の形態１で説明した抗アレルゲン剤を付加したものである。
【００１９】
また、ホースユニット５や延長管９に着脱可能に接続されるアタッチメントである隙間用ノズル２０には、図３に示すように、ホースユニット５や延長管９への接続部の反対側に吸込口２１とその近傍に植毛等１６が設けられ、あるいは図４に示すように、吸込口（図示せず）側に設けた可動可能な植毛台２２に植毛等１６を設けたものがあるが、本実施の形態は、これら植毛等１６に抗アレルゲン剤を付加したものである。
【００２０】
本実施の形態に係る床用吸込具１０又はアタッチメント２０によれば、掃除中に被掃除面に付着したアレルゲンを含む塵埃を吸引すると同時に、アレルゲンが抗アレルゲン剤を付加した部材に接触するので、アレルゲンを不活化し、吸引した塵埃中のアレルゲンの量を減少させることができる。
【００２１】
また、吸引できなかったアレルゲンが被掃除面に残ったとしても、抗アレルゲン剤を付加した部材に接触することでアレルゲンを不活化するため、被掃除面に残るアレルゲンの量を減少させることができる。
このように、本実施の形態においても実施の形態１の場合とほぼ同様の効果を得ることができる。
【００２２】
上述の実施の形態１，２において、被掃除面に接触する部材のうち、塵埃の掻き揚げ、拭き、振動を加える等の直接清掃手段となる部材や、被掃除面に接触する部分のみに抗アレルゲン剤を付加すれば、コストを抑えることができる。具体的には、例えば、植毛等１６あるいは植毛、ヘラ等１８に抗アレルゲン剤を付加する。
【００２３】
［実施の形態３］
次に、図２を参照して本発明の実施の形態３に係る床用吸込具について説明する。本実施の形態に係る床用吸込具１０の部品構成は、実施の形態２の場合と同様であるが、本実施の形態においては、掃除の際に最も効果を発揮する回転ロータ１５に設けた植毛等１６に抗アレルゲン剤を付加したものである。
【００２４】
このように構成したことにより、１分間に数千回転する回転ロータ１５に設けた植毛等１６が、回転しながら被掃除面に接触する。このとき、絨毯４０を掻き揚げたりしながら、絨毯４０の表面や根元に沈んでいるアレルゲンに、抗アレルゲン剤を付加した植毛等１５を接触させたり、畳の溝奥に沈んだアレルゲンに接触させたり、あるいは床面に付着したアレルゲンに何度も接触させることができる。
【００２５】
このため、アレルゲンの不活化効果が非常に高く、また、アレルゲンに接触する機会の少ない部分に抗アレルゲン剤を付加しなくても大部分のアレルゲンを不活化できるため効率がよく、その上コストを抑えることができる。なお、回転ロータ１５を正逆回転可能とすれば、絨毯４０の毛を寝かしたり起したりできるので、正回転のみでは絨毯４０の毛が寝てしまって届かない場所のアレルゲンにも届くので、アレルゲンの不活化効果をより高めることができる。また、回転ロータ１５を複数本設ければ、効果を本数倍高めることができる。さらに、回転ロータ１５に杭アレルゲン剤を付加することにより、吸い上げられたアレルゲンが回転ロータ１５に接触する機会が増加するので、アレルゲンの不活化効果をより高めることができる。
【００２６】
［実施の形態４］
次に、図２を参照して本発明の実施の形態４に係る床用吸込具について説明する。本実施の形態に係る床用吸込具１０の部品構成は実施形態２の場合と同様であるが、本実施の形態においては、下ケース１１の底面に設けた植毛、ヘラ等１８のみに抗アレルゲン剤を付加したものである。
【００２７】
このように構成したことにより、被掃除面で床用吸込具１０を前後左右に移動させて掃除をする際に、被掃除面に植毛、ヘラ等１８が接触して、掻き揚げ、乾拭き等の動作をしながらアレルゲンを不活化することができる。これにより、回転ロータ１５を備えていない床用吸込具１０においても、アレルゲンを不活化することができる。
また、抗アレルゲン剤を付加した植毛等１６を有する回転ロータ１５の前後の少なくともいずれか一方に、回転ロータ１５とほぼ平行に植毛、ヘラ等１８を設けて併用すれば、床用吸込具１０の前後方向への移動時に、回転ロータ１５と植毛、ヘラ等１８の両者が必ず被掃除面に接触するので、アレルゲンの不活化効果をさらに高めることができる。
【００２８】
さらに、抗アレルゲン剤を付加した植毛、ヘラ等１８を、下ケース１１の底部に取付けられ、任意の機構によって前後、左右、上下等に可動する部材に設けることにより、植毛、ヘラ等１８を下ケース１１の底部に固定した場合に比べて、被掃除面に対して衝撃等を加えることができるので、アレルゲンが表層に浮き出てき易くなって抗アレルゲン剤に接触することがより多くなるので、アレルゲンの不活化効果をより高めることができる。
【００２９】
［実施の形態５］
次に、本発明の実施の形態５に係る電気掃除機、床用吸込具及びアタッチメントについて説明する。
本実施の形態は、実施の形態１〜４において、部材に付加される抗アレルゲン剤に、例えば、ポリフェノールの如く即効の抗アレルゲン剤を用いたものである。このように構成したことにより、例えば、植毛等１６や植毛、ヘラ等１８の部材が被掃除面に接触すると同時にアレルゲンが不活化され、不活化されたアレルゲンが塵埃と共に集塵室３に集塵される（本実施の形態は、以下に説明する各実施の形態においても適用することができる）。
【００３０】
本実施の形態の試験にあたっては、図５に示すように、電気掃除機本体１にホースユニット５を接続してその手元ハンドル８に、前後に通気可能な風路２４ａ，２４ｂを有し、この風路２４ａ，２４ｂの間に通気性を有するシートからなるサンプル２５（以下、サンプルシートという）を挟んで構成したダストサンプラー２３を接続した装置を用いた。
サンプルシート２５は、一般に電気掃除機で使用する２層の紙パックフィルターを使用し、目の粗い内層側に抗アレルゲン剤と塩類の如き吸湿性組成物を含む抗アレルゲン組成物を加工した。
【００３１】
そして、電気掃除機本体１を駆動してダニアレルゲンを含む塵埃０．０２ｇを１分間吸引し、その直後と、６０分放置後に、スキムミルク１０％を含むＰＢＳ５ｍｌによりダニアレルゲンを抽出し、その抽出液をＥＬＩＳＡ法によって評価した。評価結果を表１に示す。
【００３２】
【表１】
2006204350.tif 000003
【００３３】
表１において、経過時間５分とあるのは、塵埃の吸引直後に測定を開始したが、測定の準備に５分を要したため表１には５分と記載した。ＥＬＩＳＡ洗による不活化率とは、（ブランクのダニアレルゲン量−評価サンプルのダニアレルゲン量）／ブランクのダニアレルゲン量×１００である。表１から明らかなように、吸引直後に測定した結果と、６０分放置後に測定した結果とがほぼ同じであり、本実施の形態によれば、アレルゲンの不活化に即効性があることが確認された。
【００３４】
本実施の形態によれば、集塵室３内にアレルゲンの不活化処理をしていない電気掃除機においても、集塵室３に集塵されたアレルゲンは不活化されているので無害であり、アレルギー感染するおそれがない。また、吸引されなかったアレルゲンも、抗アレルゲン剤を付加した部材と接触することにより即時に不活化されるので、無害な状態となって被掃除面に残る。このようにして、被掃除面に残るアレルゲンの量も減少し、被掃除面の上で生活を続けてもアレルギー感染するおそれがなくなる。
【００３５】
さらに、実施の形態３のような回転ロータ１５を有する床用吸込具１０であれば、短時間の間にアレルゲンと接触する機会が多く、接触と同時に不活化を繰返えすので、アレルゲンの不活化効果が高い。
本実施の形態に係る即効の抗アレルゲン剤によるアレルゲンの不活化手順は、アレルゲンを包み込む、分解する、結合するあるいは不溶化する等、どのような手段であってもよい。
【００３６】
［実施の形態６］
図６は本発明の実施の形態６に係る床用吸込具の断面説明図である。なお、実施の形態２（図２）と同じ部分にはこれと同じ符号を付し、説明を省略する。
本実施の形態においては、回転ロータ１５の近傍、すなわち、下ケース１１の吸込口１２の天面に、回転ロータ１５に設けた植毛等１６に接触するように、抗アレルゲン剤を付加した抗アレルゲン付加部材２６を設けたものである。
【００３７】
本実施の形態においては、被掃除面に付着したアレルゲンを植毛等１６で掻き揚げながら被掃除面から取除いて植毛等１６に付着させ、回転ロータ１５の回転によりアレルゲンが付着した植毛等１６を抗アレルゲン付加部材２６に摺接させることで、アレルゲンを不活化させて吸引風路に吸引させる。なお、図において、黒丸２７ａはアレルゲンを、白丸２７ｂは不活化されたアレルゲンを示す。
このように構成したことにより、植毛等１６が摩耗しても影響を受けることなくアレルゲンを不活化できるので、アレルゲン不活化効果の寿命を長くすることができる。さらに、植毛等１６にも抗アレルゲン剤を付加すれば、より効果を高めることができる。
【００３８】
また、電動送風機２の前後などの風路に搭載するフィルタや、集塵用の紙袋等を抗アレルゲン処理した電気掃除機本体１に、実施の形態１〜５の技術及び本実施の形態を組合わせれば、床用吸込具１０に付加した抗アレルゲン剤に接触せずに吸引されたアレルゲンも、集塵室３や排風路内で不活化されるので、電気掃除機全体のアレルゲン不活化性能を高めることができる。
【００３９】
［実施の形態７］
図７は本発明の実施の形態７に係る電気掃除機の模式的説明図である。
本実施の形態は、横長の本体ケース３１内に、電動送風機２、集塵室３、横長で底面に開口する吸込口に設定され植毛等１６（図示せず）が設けられた回転ロータ１４や、底面に直接又は間接的に植毛等１６を設けた掃除機本体３０に、この掃除機本体３０を被掃除面で操作するためのパイプ３２及びハンドル３３を設けた充電式掃除機等の箒型の小型掃除機において、植毛等１６を含む被掃除面に接触する部分に、抗アレルゲン剤を付加したものである。
【００４０】
このように、上記のような小型掃除機においてもアレルゲン不活化対策を施すことが可能であり、また、吸気が弱く、排気も弱いか又は排気循環により排気が出ないため、被掃除面のアレルゲンを排気で飛ばすこともなく、アレルゲン不活化することができる。
【００４１】
［実施の形態８］
次に、図１を参照して本発明の実施の形態８に係る電気掃除機について説明する。
本実施の形態は、負圧の吸引風路において、床用吸込具１０から集塵室３までの区間において、吸引風路を構成する部材に抗アレルゲン剤を直接付加するか、又は抗アレルゲン剤を付加した部材を吸引風路に露出するように配置すると共に、それより上流側に例えば塩類を含む吸湿性部材を配置したものである。
【００４２】
このように構成したことにより、吸湿性部材が吸った水分を直接又は空気などを媒介して間接的に抗アレルゲン剤を付加した部材に移行させ、その水分を利用して水溶性のアレルゲンを溶かし、抗アレルゲン剤と反応させて不活化させる。
本実施の形態によれば、水分が無いと反応しない抗アレルゲン剤を使用しなくても、水分を補給することなくアレルゲンを不活化することができる。
【００４３】
［実施の形態９］
次に、図２〜図４を参照して本発明の実施の形態９に係る床用吸込具について説明する。
本実施の形態においては、図２の回転ロータ１５に設けた植毛等１６や、床用吸込具１０の底面に設けた植毛、ヘラ等１８、あるいは、図３、図４の隙間ノズル２０に設けた植毛等１６や植毛台２２に設けた植毛等１６に、素材の色と異なる色に着色された表面処理材に抗アレルゲン剤を混入して付加したものである。
【００４４】
本実施の形態における作用は、図２〜図４の場合と同様であるが、長期間の使用により植毛等１６や植毛、ヘラ等１８の表面が摩耗して抗アレルゲン剤のコーティングが剥れ、アレルゲンの不活化効果が低下するが、コーティングが剥れると抗アレルゲン剤の色から素材の色に変化するため、摩耗により寿命が尽きたことを目視により知ることができるので、交換の目安となる。
【００４５】
［実施の形態１０］
図２〜図４を参照して本発明の実施の形態１０に係る床用吸込具について説明する。
本実施の形態においては、図２の回転ローラ１５に設けた植毛等１６や、床用吸込具１０の底面に設けた植毛、ヘラ等１８、あるいは、図３、図４の隙間ノズル２０に設けた植毛等１６や植毛台２２に設けた植毛等１６の素材に、例えばナイロンなどの吸湿性を有する材料を用いたものである。
【００４６】
本実施の形態における作用は、図２〜図４の場合と同様であるが、アレルゲンを不活化するために水分を必要とする抗アレルゲン剤を、植毛等１６又は植毛、ヘラ等１８に付加したので、水分を必要とする抗アレルゲン剤は、水分を与えることなく素材自から水分を吸湿し、抗アレルゲン剤の作用を助けてアレルゲンを不活化することができる。また、吸引により水分を移行させる必要もないので、掃除をしていないときでも植毛等１６や植毛、ヘラ等１８に付着したアレルゲンを不活化することができる。
【００４７】
［実施の形態１１］
図８は本発明の実施の形態１１に係る床用吸込具の回転ロータの説明図である。
本実施の形態は、回転ロータ１４に設けた植毛等１６を、それぞれ前後２種類からなる複数対（図には、４対の場合が示してある）の植毛等１６ａ，１６ｂで構成し、被掃除面に接触すると折れ曲ってそれぞれ植毛等１６ａ，１６ｂが接触するように配置及び長さを設定したものである。そして、前後いずれか一方の植毛等（例えば、１６ａ）に抗アレルゲン剤を付加し、他方の植毛等１６ｂの素材を例えば塩類を含む吸湿性部材で構成するか又は綿等の天然繊維やナイロン等の化学繊維からなる保湿性部材で構成した。
【００４８】
このように構成したことにより、掃除中に植毛等１６ａ，１６ｂに付着したアレルゲンを吸湿性部材又は保湿性部材の水分で溶かし、さらに、抗アレルゲン剤が溶けたアレルゲンを不活化する。このため、植毛等１６の列が図２の場合の倍の数になり、掻き揚げ量及び拭き量が倍になって、アレルゲンの不活化率を向上することができる。
【００４９】
［実施の形態１２］
次に、図６を参照して本発明の実施の形態１２に係る床用吸込具について説明する。
本実施の形態は、下ケース１１の吸込口１２の天面に、回転ロータ１５に設けた抗アレルゲン剤を付加した植毛等１６が被掃除面に接触したのち、二次的に接触する吸湿性部材又は保湿性部材（図示せず）を設けたものである。
【００５０】
このように構成したことにより、植毛等１６に付着したアレルゲンが吸湿性部材又は保湿性部材と接触して溶け、次に、抗アレルゲン剤を付加した植毛等１６が接触することにより抗アレルゲン剤が溶けたアレルゲンと反応して不活化する。この吸湿性部材又は保湿性部材は素材に吸湿性又は保湿性のある材料を用いてもよく、あるいは吸湿剤又は保湿剤を付加したものでもよい。また、吸湿性部材又は保湿性部材を着脱可能とすれば、水分を補給したり、汚れを清掃することができる。
【００５１】
［実施の形態１３］
次に、図２を参照して本発明の実施の形態１３に係る床用吸込具について説明する。
本実施の形態は、絨毯４０等を掃除する際に、絨毯４０等に接触する緩衝部材１７や車輪１９など、吸引風路外にある部材に抗アレルゲン剤を付加したものである。
これにより、吸引風路外で被掃除面においてこれらの部材に擦れ合って付着したアレルゲンを不活化することができる。そして、付着後に剥れ落ちてもアレルゲンは無害な物質に変化しているため、アレルギー感染を防止することができる。
【００５２】
［実施の形態１４］
図９〜図１３は本発明の実施の形態１４に係る床用吸込具やアタッチメントに設けられる植毛等の説明図である。
本実施の形態は、床用吸込具１０やアタッチメント２０に設けられて被掃除面と接触する部材、例えば、植毛等１６を構成する素材を、基布に単繊維を密集させて形成したものである。
このように構成したことにより、毛の密度が濃く、抗アレルゲン剤がアレルゲンに接触する機会が増加するので、アレルゲンの不活化率を向上することができる。また、単繊維を束状あるいは連続的に植毛することにより密度が増し、アレルゲンの不活化効果を高めるようにしたものである。
【００５３】
図９は植毛等１６を構成する単繊維１６ｃを波形に形成したもので、塵埃を絡め捕り易く、塵埃に含まれるアレルゲンも同時に捕集し易くなるので、アレルゲンが抗アレルゲン剤と接触し易くなる。
また、図１０に示すように、複数の単繊維１６ｃを互いに絡み合わせて撚り合わせることにより、単繊維１６ｃ間に塵埃を捕獲し易くなり、アレルゲンの不活化効果をさらに向上させることができる。
さらに、図１１に示すように、先端部が枝状に分岐した単繊維１６ｃを使用すれば、単繊維自体の塵埃捕獲能力を向上することができる。
【００５４】
図１２は植毛等１６の他の例を示すもので、単繊維１６ｃの長手方向に連続した凹溝１６ｄを設けるか、又は断面放射状に形成したものである。このように形成することにより、単繊維１６ｃの断面積を増加させることができるので、塵埃を捕獲し易いばかりでなく、抗アレルゲン剤が凹溝１６ｄに入るため、絨毯等に接触しても剥れにくくなる。
また、図１３に示すように、単繊維１６ｃの表面に不連続の複数の凹部１６ｄを設けても、同様の効果を得ることができる。
上記の説明では、図９〜図１３に係る単繊維１６ｃからなる植毛等１６に、抗アレルゲン剤を付加する場合を示したが、本実施の形態に係る植毛等１６は、植毛等に抗菌剤や脱臭剤を付加した電気掃除機の床用吸込具やアタッチメントにも実施することができる。
【図面の簡単な説明】
【００５５】
【図１】本発明の実施の形態１に係る電気掃除機の説明図である。
【図２】本発明の実施の形態２に係る床用吸込具の断面説明図である。
【図３】本発明の実施の形態２に係るアタッチメントの斜視図である。
【図４】本発明の実施の形態２に係るアタッチメントの他の例の斜視図である。
【図５】本発明の実施の形態５の試験装置の説明図である。
【図６】本発明の実施の形態６に係る床用吸込具の断面説明図である。
【図７】本発明の実施の形態７に係る電気掃除機の説明図である。
【図８】本発明の実施の形態９に係る床用吸込具の回転ロータの説明図である。
【図９】本発明の実施の形態９に係る床用吸込具の植毛等の説明図である。
【図１０】本発明の実施の形態９に係る床用吸込具の植毛等の説明図である。
【図１１】本発明の実施の形態９に係る床用吸込具の植毛等の説明図である。
【図１２】本発明の実施の形態９に係る床用吸込具の植毛等の説明図である。
【図１３】本発明の実施の形態９に係る床用吸込具の植毛等の説明図である。
【符号の説明】
【００５６】
１  掃除機本体、２  電動送風機、３  集塵室、５  ホースユニット、６  蛇腹ホース、８  手元ハンドル、９  延長管、１０  床用吸込具、１１  下ケース、１２  吸込口、１４  上ケース、１５  回転ロータ、１６  植毛等、１６ｃ  単繊維、１６ｄ  凹溝、１７  緩衝部材、１８  植毛、ヘラ等、１９  車輪、２０  隙間ノズル（アタッチメント）、２１  吸込口、２６  抗アレルゲン剤含有部材、４０  絨毯、４１  被掃除面。
【図１】
2006204350.tif 000004
【図２】
2006204350.tif 000005
【図３】
2006204350.tif 000006
【図４】
2006204350.tif 000007
【図５】
2006204350.tif 000008
【図６】
2006204350.tif 000009
【図７】
2006204350.tif 000010
【図８】
2006204350.tif 000011
【図９】
2006204350.tif 000012
【図１０】
2006204350.tif 000013
【図１１】
2006204350.tif 000014
【図１２】
2006204350.tif 000015
【図１３】
2006204350.tif 000016
【手続補正書】
【提出日】平成17年3月31日(2005.3.31)
【手続補正１】
【補正対象書類名】特許請求の範囲
【補正対象項目名】請求項１５
【補正方法】変更
【補正の内容】
【請求項１５】
回転ロータを有し、電気掃除機本体、ホースユニット又は延長管に接続される床用吸込具の前記回転ロータに植毛又はブレードを設け、前記回転ロータ又は植毛若しくはブレードに抗アレルゲン剤を付加したことを特徴とする床用吸込具用回転ロータ。
【手続補正２】
【補正対象書類名】明細書
【補正対象項目名】００２５
【補正方法】変更
【補正の内容】
【００２５】
このため、アレルゲンの不活化効果が非常に高く、また、アレルゲンに接触する機会の少ない部分に抗アレルゲン剤を付加しなくても大部分のアレルゲンを不活化できるため効率がよく、その上コストを抑えることができる。なお、回転ロータ１５を正逆回転可能とすれば、絨毯４０の毛を寝かしたり起したりできるので、正回転のみでは絨毯４０の毛が寝てしまって届かない場所のアレルゲンにも届くので、アレルゲンの不活化効果をより高めることができる。また、回転ロータ１５を複数本設ければ、効果を本数倍高めることができる。さらに、回転ロータ１５に抗アレルゲン剤を付加することにより、吸い上げられたアレルゲンが回転ロータ１５に接触する機会が増加するので、アレルゲンの不活化効果をより高めることができる。